(57)【要約】 本発明は大画面のディスプレイが可能な携帯端末機及びその駆動装置に関する。本発明にかかる携帯端末機は、第１映像が表示される第１ディスプレイパネル部と、第２映像が表示される第２ディスプレイパネル部と、第１ディスプレイパネル部の一面に対向して設けられ、一面に複数の軌跡溝が形成される第１及び第２軌跡板と、第１ディスプレイパネル部と第２ディスプレイパネル部との間に結合される折畳みスライドドア部とを含む。そして、本発明によれば、折畳みスライドドア部は両側面に前記の第１及び第２軌跡板の前記の軌跡溝にスライド可能に挿入されるガイド突起が各々形成され、前記の軌跡溝に沿ってスライドしながら折り畳まれる複数のスライドドアを含んで構成される。
2007529180.tif 000002
【特許請求の範囲】
【請求項１】
第１映像が表示される第１ディスプレイパネル部と、
第２映像が表示される第２ディスプレイパネル部と、
前記の第１ディスプレイパネル部の一面に対向して設けられ、一面に複数の軌跡溝が形成される第１及び第２軌跡板と、
両側面に前記の第１及び第２軌跡板の前記の軌跡溝にスライド可能に挿入されるガイド突起が各々形成され、前記の軌跡溝に沿ってスライドしながら折り畳まれる複数のスライドドアを含み、前記の第１ディスプレイパネル部と前記の第２ディスプレイパネル部との間に結合される折畳みスライドドア部とを含む携帯端末機。
【請求項２】
前記第１及び第２ディスプレイパネル部の一端は、前記の第２ディスプレイパネル部が開かれる場合、前相互密着するように結合される請求項１に記載の携帯端末機。
【請求項３】
前記の折畳みスライドドア部は、
第１側面に前記の第２ディスプレイパネル部と結合され、第１側面に対向する第２側面に係止突起が形成される第１折畳みスライドドアと、
第１側面に前記の第１折畳みスライドドアの係止突起に係る係止爪が形成され、前記の第１側面に対向する第２側面に係止突起が形成される第２折畳みスライドドアと、
第１側面に前記の第２折畳みスライドドアの係止突起に係る係止爪が形成され、前記の第１側面に対向する第２側面に係止突起が形成される第３折畳みスライドドアと、
第１側面に前記の第３折畳みスライドドアの係止突起に係る係止爪が形成され、前記の第１側面に対向する第２側面に係止突起が形成される第４折畳みスライドドアとを含み、
前記の第１乃至第４折畳みスライドの相互対向する第３及び第４側面には、前記の第１軌跡板及び第２軌跡板に形成された該当軌跡溝に各々スライド可能に挿入されるガイド突起が形成される請求項１に記載の携帯端末機。
【請求項４】
前記の第１乃至第４折畳みスライドドアには、破損を防止するための複数の補強フレームが形成され、前記の第１乃至第３折畳みスライドドアの係止突起には、前記の第２乃至第４折畳みスライドに設けられた前記の補強フレームが各々貫通挿入可能に複数の補強フレームの挿入溝が形成される請求項３に記載の携帯端末機。
【請求項５】
前記の第１ディスプレイパネル部には、前記の折畳みスライドドアが挿入される折畳みスライドドアの挿入溝が形成され、前記の折畳みスライドドアの挿入溝の一側には、前記の第４折畳みスライドドアの係止突起が係る係止爪が形成される請求項３に記載の携帯端末機。
【請求項６】
前記のヒンジ結合部は、前記の第２ディスプレイパネル部の一側面に対向するように形成され、前記の第１及び第２軌跡板が回転可能に支持する第１及び第２回転支持板をさらに含む請求項１に記載の携帯端末機。
【請求項７】
前記の第２ディスプレイパネル部が畳まれている場合、前記の第１及び第２ディスプレイパネル部を各々独立して駆動し、前記の第２ディスプレイパネル部が開かれている場合、前記の第１及び第２ディスプレイパネル部が一つの映像をディスプレイするように駆動する複数のディスプレイモジュールをさらに含む請求項１に記載の携帯端末機。
【請求項８】
前記の第２ディスプレイパネル部の状態を感知するための感知センサをさらに含む請求項７に記載の携帯端末機。
【請求項９】
前記のディスプレイモジュールは、前記の第１ディスプレイパネル部を駆動するための第１スキャンドライバー及び第１データドライバーと、前記の第２ディスプレイパネル部を駆動するための第２スキャンドライバー及び第２データドライバーを含む請求項７に記載の携帯端末機。
【請求項１０】
前記の第１及び第２スキャンドライバーと前記の第１及び第２データドライバーとは、実質的に同一のコントローラによって制御される請求項９に記載の携帯端末機。
【請求項１１】
第２ヒンジ結合部を介して前記の第２ディスプレイパネル部に連結された第３ディスプレイパネル部をさらに含む請求項１に記載の携帯端末機。
【請求項１２】
前記の第１乃至第３ディスプレイパネル部を駆動するためのディスプレイモジュールは、実質的に同一のコントローラによって制御される請求項１１に記載の携帯端末機。
【請求項１３】
第１ディスプレイパネルが装着される第１パネル部、第２ディスプレイパネルが装着される第２パネル部、及び前記の第１パネル部と前記の第２パネル部とを結合するためのヒンジ結合部を含む携帯端末機の駆動装置において、
前記の第１パネル部に挿入され、前記の第１ディスプレイパネルを駆動するための第１ドライバーが装着される第１フィルム部と、
前記の第２パネル部に挿入され、前記の第２ディスプレイパネルを駆動するための第２ドライバーが装着される第２フィルム部と、
前記のヒンジ結合部内に挿入され、前記の第１フィルム部及び前記の第２フィルム部を連結する連結部とを含み、
前記の第１及び第２フィルム部には、前記の連結部と平行になるように第１及び第２フォールディングラインが各々形成されることを特徴とする携帯端末機の駆動装置。
【請求項１４】
前記の第１及び第２ドライバーは同一のコントローラによって制御され、前記の第１及び第２フィルム部には、前記の第１及び第２ドライバーと前記のコントローラとを電気的に連結するための配線が形成されている請求項１３に記載の携帯端末機の駆動装置。
【請求項１５】
前記の第１及び第２フォールディングラインは、各々前記の第１及び第２ドライバーと前記のコントローラとの間に形成される請求項１４に記載の携帯端末機の駆動装置。
【請求項１６】
前記の第１及び第２フィルム部は、印刷回路基板で形成された請求項１４の携帯端末機の駆動装置。
【発明の詳細な説明】
【技術分野】
【０００１】
本発明は携帯端末機に関し、特に、大画面のディスプレイが可能な携帯端末機及びその駆動装置に関する。
【背景技術】
【０００２】
一般に、携帯端末機はデジタルフォーン(Digital phone)、セルラーフォーン(Cellular phone)、PCS(Personal Communications Service)フォーン等のような移動通信端末機、又はPDA(Personal Digital Assistant)及び小型のノートブック等のように携帯可能なデジタル端末機を称する装置であって、通常、これは、無線通信リンクと連動してユーザに音声及び映像情報などの様々なデジタルコンテンツを提供する機能を行う。
【０００３】
このような携帯端末機は、その主な機能である携帯性の極大化のために、高感度、小型化及び軽量化を目指して発展しつつあるが、この傾向は、携帯端末機の代表としての移動通信端末機の発展過程を調べると分かる。
【０００４】
即ち、初期の移動通信端末機のタイプであるバー(Bar)型の端末機とフリップ(Flip)型の端末機とは、その形状の拡張が不可能で大きく重いため、現在ではほとんど用いられていなく、小型及び軽量でありながらその形状の拡張が可能なスライドフォルダ型の端末機及びフォルダ型の端末機が用いられるのである。
【０００５】
一方、最近では、無線データサービスが大衆化するにつれて、携帯端末機のマルチメディアコンテンツの提供機能は、その携帯端末機が元々有する機能(移動通信端末機の場合は通話機能、PDAの場合はデータの入力機能)より一層重要となっている趨勢である。
【０００６】
携帯端末機が、このようなマルチメディアコンテンツの機能、特に、映像コンテンツの提供機能を有効に行うためには、通信網から受信した映像コンテンツをディスプレイパネルを介してどれほど完璧にディスプレイすることができるかが重要な課題となる。
【０００７】
ところが、先に述べたように、携帯端末機は、その携帯性を極大化するために、小型化及び軽量化を目指しているので、その携帯端末機に設けられる従来のディスプレイパネルの大きさは非常に限定されており、そのため、良質の映像コンテンツをディスプレイすることができないという問題が発生してしまう。
【０００８】
従って、従来の携帯端末機のうち、最も発展した形態でありながら大衆化となっているデュアルディスプレイパネルフォルダ型の端末機の形態を調べ、そのディスプレイパネルの構造上の問題を詳述する。
【０００９】
図１及び図２は、二つのディスプレイパネルが設けられたデュアルディスプレイパネルフォルダ型の端末機のフォルダを開いた時における、内側及び外側から見た外形を各々示す斜視図であり、図３は、図１及び図２に示されているデュアルディスプレイパネルフォルダ型の端末機のディスプレイモジュールの構造を示すブロック図である。
【００１０】
図１及び図２に示すように、デュアルディスプレイパネルフォルダ型の端末機１０は、本体２０と、その本体２０にヒンジを介して開閉可能に結合されたフォルダ３０とからなり、フォルダ３０の内面及び外面の一側には、ディスプレイ用の液晶画面であるメインディスプレイパネル３１及びサブディスプレイパネル３２が各々設けられている。
【００１１】
また、そのディスプレイモジュールの構造は、図３に示すように、メインディスプレイパネル３１、メインスキャンドライバー４１、メインデータドライバー４０、メインディスプレイパネルコントローラ４２、サブディスプレイパネル３２、サブスキャンドライバー５１、サブデータドライバー５０、サブディスプレイパネルコントローラ５２からなる。
【００１２】
この時、前述のスキャンドライバー４１、５１及びデータドライバー４０、５０は、LCD、PDP、OLEDディスプレイ等のような発光素子を列（Row）と行(Column)に配置してマトリックス（Matrix）形態に動作させるFPD(Flat Panel Display、平面パネルディスプレイ)において列と行を駆動させる回路装置をいうのであり、スキャンドライバー４１、５１をゲートドライバーと呼び、データドライバー４０、５０をソースドライバーと呼ぶこともある。
【００１３】
前記のメインディスプレイパネル３１は、複数の列ライン(Row Line)及び行ライン(Column Line）がマトリックス配列されて複数のピクセル(Pixel）を形成しており、メインスキャンドライバー４１、メインデータドライバー４０、メインディスプレイパネルコントローラ４２によって、その動作が制御される。
【００１４】
また、メインスキャンドライバー４１はメインディスプレイパネル３１の列ライン(Y軸）を順次選択するスキャン動作を行い、メインデータドライバー４０はメインディスプレイパネル３１の行ライン(X軸)にディスプレイされる映像データを電圧又は電流に変換して印加する。
【００１５】
メインディスプレイパネルコントローラ４２は、メインスキャンドライバー４１へスキャン信号を印加し、メインデータドライバー４０へ映像データ信号を印加して、メインスキャンドライバー４１及びメインデータドライバー４０の動作を各々制御する機能を行う。
【００１６】
一方、サブディスプレイパネル３２、サブスキャンドライバー５１、サブデータドライバー５０及びサブディスプレイパネルコントローラ５２は、前述のメインディスプレイと関連したモジュール３１、４１、４０、４２と同一の機能を独立して行う。
【００１７】
ところが、このようにデュアルディスプレイパネルフォルダ型の端末機１０に設けられているメインディスプレイパネル３１及びサブディスプレイパネル３２は、各々フォルダ３０の内側及び外側に独立して設けられ相互関連の機能がないため、通常、マルチメディアコンテンツのディスプレイ機能はメインディスプレイパネル３１が全的に担い、サブディスプレイパネル３２は単に案内窓の機能だけを行う。
【００１８】
従って、メインディスプレイパネル３１の大きさがフォルダ３０の大きさによって限定されるため、マルチメディアコンテンツをディスプレイする時に、充分な画面の大きさ及び１６：９の理想的な縦横比(Aspect Ratio)を提供することができなくなる。
【００１９】
即ち、フォルダ３０に設けられたメインディスプレイパネル３１の大きさが小さくて画面の細かい部分まで再生し難く、１６：９の割合の高画質なTV(HDTV)のマルチメディアコンテンツのような大画面の映像をディスプレイする場合、原本の１６：９の形態に具現されるのではなく、携帯端末機１０に備えられたメインディスプレイパネル３１の形態に合わせて修正されてディスプレイされるので、デジタルコンテンツの再現性が著しく低下し、画面の形態が変形する問題が発生する。
【００２０】
また、ディスプレイモジュールの構成においても、パネル３１、３２の動作を制御するディスプレイコントローラ４２、５２がメインディスプレイパネル３１とサブディスプレイパネル３２に各々一つずつ連結されているため、回路の面積を多く占め、消費電力もそれに比例して増加するという問題も存在する。
【００２１】
従って、移動通信端末機やPDA等のような小型の携帯端末機に設置適用されて、大画面及び１６：９の縦横比を提供することのできる携帯端末機の大画面のディスプレイ装置の開発が至急要求されている実情である。
【発明の開示】
【発明が解決しようとする課題】
【００２２】
本発明はこのような背景からなされたものであり、その目的は、ヒンジ結合を用いてメインディスプレイパネルとサブディスプレイパネルで一つの歪みない大画面をディスプレイ可能にする携帯端末機の大画面のディスプレイ装置を提供することで、大画面及び理想的な縦横比を携帯端末機上において具現可能にすることである。
【００２３】
また、本発明の他の目的は、メインディスプレイパネルとサブディスプレイパネルとを単一のコントローラによって制御するようにし、その回路による印刷回路基板(PCB：Printed  Circuit  Board、以下、PCBと略称する)フィルムが装置の内部に效率的にレイアウトできる構造を提供することである。
【００２４】
また、本発明のさらに他の目的は、サブディスプレイパネルにもう一つのサブディスプレイパネルをヒンジ結合することで、二つのディスプレイパネルが有する大画面受容の限界を克服可能にし、そのメインディスプレイパネルと複数のサブディスプレイパネルを単一のコントローラによって制御するようにし、それによるPCBフィルムの挿入構造を提供することである。
【課題を解決するための手段】
【００２５】
前記の目的を達成するために、本発明にかかる携帯端末機は、第１映像が表示される第１ディスプレイパネル部と、第２映像が表示される第２ディスプレイパネル部と、前記の第１ディスプレイパネル部の一面に対向して設けられ、一面に複数の軌跡溝が形成される第１及び第２軌跡板と、両側面に前記の第１及び第２軌跡板の前記の軌跡溝にスライド可能に挿入されるガイド突起が各々形成され、前記の軌跡溝に沿ってスライドしながら折り畳まれる複数のスライドドアを含み、前記の第１ディスプレイパネル部と前記の第２ディスプレイパネル部との間に結合される折畳みスライドドア部とを含む。
【００２６】
本発明の他の実施形態にかかる携帯端末機は、メインディスプレイパネルが設けられる第１パネル部と、サブディスプレイパネルが設けられる第２パネル部と、前記の第１パネル部の一面に対向して設けられ、一面に複数の軌跡溝が形成される第１及び第２軌跡板と、両側面に前記の第１及び第２軌跡板の前記の軌跡溝に各々スライド可能に挿入されるガイド突起が各々形成され、前記の軌跡溝に沿ってスライドしながら折り畳まれる複数のスライドドアとを含み、前記の第１パネル部と前記の第２パネル部との間に結合される折畳みスライドドア部を含む。
【００２７】
本発明の一つの実施形態にかかる携帯端末機の駆動装置は、第１ディスプレイパネルが装着される第１パネル部、第２ディスプレイパネルが装着される第２パネル部、及び前記の第１パネル部と前記の第２パネル部とを結合するためのヒンジ結合部を含む携帯端末機の駆動装置であって、前記の第１パネル部に挿入され、前記の第１ディスプレイパネルを駆動するための第１ドライバーが装着される第１フィルム部と、前記の第２パネル部に挿入され、前記の第２ディスプレイパネルを駆動するための第２ドライバーが装着される第２フィルム部と、前記のヒンジ結合部内に挿入され、前記の第１フィルム部及び前記の第２フィルム部を連結する連結部とを含み、前記の第１及び第２フィルム部には、前記の連結部と平行になるように第１及び第２フォールディングラインが各々形成されることを特徴とする。
【発明の効果】
【００２８】
本発明によれば、メインディスプレイパネルが設けられたメインディスプレイパネル部とサブディスプレイパネルが設けられたサブディスプレイパネル部とを軌跡板と複数の折畳みスライドドアを用いたヒンジ結合部を介して開閉可能に結合することで、サブディスプレイパネルを開ければ、メインディスプレイパネルとサブディスプレイパネルとが相互密着して一体感のある大画面の具現が可能になる。
【００２９】
従って、各種の移動通信端末機とPDA等のような携帯端末機のマルチメディアコンテンツの再生時に、大画面による良質のサービスと理想的な縦横比を提供することができるようになる。
【００３０】
また、メインディスプレイパネルとそのディスプレイモジュール、及びサブディスプレイパネルとそのディスプレイモジュールが単一のコントローラによって制御できるようにし、その配線のための単一のPCBフィルムが端末機の内部へ效率的に挿入できるレイアウト構造を提供することができるようになる。
【００３１】
また、メインディスプレイパネル部にヒンジ結合部を介して結合されたサブディスプレイパネルにもう一つのサブディスプレイパネルをヒンジ結合部で連結して、より一層拡張した大画面をディスプレイ可能にすることで、二つのディスプレイパネルが有する大画面受容の限界が克服できる利点を有する。
【発明を実施するための最良の形態】
【００３２】
以下、本発明の実施形態を図面を参照して詳述する。
【００３３】
以下の説明において、ある部分が他の部分と連結されている場合、これは、直接的に連結されている場合だけでなく、その中間に他の素子を挟んで電気的に連結されている場合も含む。また、図面において本発明と無関係な部分は本発明の説明を明確にするために省略し、類似の部分については同一の図面符号を付けている。
【００３４】
図４乃至図８は本発明の一実施形態にかかる携帯用端末機を示すのである。具体的には、図４はメインディスプレイパネル部を畳んだ状態の形状を示す斜視図であり、図５は本体からメインディスプレイパネル部を開いた時における、内側から見た形状を示す斜視図である。また、図６は本体からメインディスプレイパネル部を開いた時における、外側から見た形状を示す斜視図であり、図７はメインディスプレイパネル部に設けられたサブディスプレイパネル部を開いた時における、内側から見た形状を示す斜視図であり、図８はメインディスプレイパネル部に設けられたサブディスプレイパネル部を開いた時における、外側から見た形状を示す斜視図である。
【００３５】
図示したように、本発明の一実施形態にかかる携帯端末機１００は、メインディスプレイパネル部１２０と、ヒンジ結合部２００及びサブディスプレイパネル部１３０からなり、メインディスプレイパネル部１２０は、端末機本体１１０に図４のように畳まれたり図５乃至図８のように開かれるようにヒンジを介して結合される。
【００３６】
この時、メインディスプレイパネル部１２０の内側面にはディスプレイ液晶画面であるメインディスプレイパネル１２１が設けられ、メインディスプレイパネル部１２０の一側端にはヒンジ結合部２００を介してサブディスプレイパネル部１３０が結合されて、不使用時には図６のようにメインディスプレイパネル部１２０の外面へ畳み、大画面の具現時には図７のように開くように結合されている。
【００３７】
サブディスプレイパネル部１３０の外面にはディスプレイ液晶画面のサブディスプレイパネル１３１が設けられて、大画面の具現時にはメインディスプレイパネル１２１とサブディスプレイパネル１３１とが密着して一つの画面となってコンテンツをディスプレイするようになり、また図８のように、サブディスプレイパネル部１３０の内部の一側には、サブディスプレイパネル部１３０が折り畳まれているか否かを判別するための感知センサ１３２が設けられる。
【００３８】
図９乃至図１１は図３乃至図８に示されているヒンジ結合部２００の構成を示す構成図であって、図９はヒンジ結合部の全体の構成を示す分解斜視図であり、図１0は図９に示す軌跡板と折畳みスライドドア及び回転支持板の構成及び結合構造を示す部分斜視図であり、図１１は図１0の構成要素が結合された形状を示す斜視図である。
【００３９】
図９に示すように、ヒンジ結合部２００は、第１軌跡板２１０、第２軌跡板２２０、第１回転支持板２７０、第２回転支持板２８０、第１折畳みスライドドア２３０、第２折畳みスライドドア２４０、第３折畳みスライドドア２５０、第４折畳みスライドドア２６０及び折畳みスライドドアの挿入溝１２５からなる。
【００４０】
以下、本発明の一実施形態にかかるヒンジ結合部の構成を詳述する。
【００４１】
図９の第１軌跡板２１０はメインディスプレイパネル部１２０の一側面に円板状に形成され、図１０のように、その外面の中心には第１回転支持板の挿入溝２１７が形成されており、内側面にはサブディスプレイパネル部１３０を開閉可能に前記の各折畳みスライドドア２３０〜２６０の動きをガイドするための複数の軌跡溝２１１〜２１４が前記の各折畳みスライドドア２３０〜２６０に対応して各々形成されている。
【００４２】
即ち、第１折畳みスライドドア２３０をガイドするための第１軌跡溝２１１、第２折畳みスライドドア２４０をガイドするための第２軌跡溝２１２、第３折畳みスライドドア２５０をガイドするための第３軌跡溝２１３及び第４折畳みスライドドア２６０をガイドするための第４軌跡溝２１４が形成される。
【００４３】
第２軌跡板２２０はメインディスプレイパネル部１２０の一側面上の第１軌跡板２１０と対向する位置に円板状に形成され、外面の中心には第２回転支持板の挿入溝２２７が形成されており、内側面には各折畳みスライドドア２３０〜２６０の動きをガイドするための複数の軌跡溝２２1〜２２4が各折畳みスライドドア２３０〜２６０に対応して各々形成されている。
【００４４】
即ち、第１折畳みスライドドア２３０をガイドするための第５軌跡溝２２１、第２折畳みスライドドア２４０をガイドするための第６軌跡溝２２２、第３折畳みスライドドア２５０をガイドするための第７軌跡溝２２３及び第４スライドドア２６０をガイドするための第８軌跡溝２２４が形成される。
【００４５】
第１回転支持板２７０は、図９に示すように、サブディスプレイパネル部１３０の側面に第１軌跡板２１０と同一の円板状に形成され、その中心には、図１0に示すように、第１軌跡板２１０に形成されている第１回転支持板の挿入溝２１７に挿入される挿入突起２１７が形成される。
【００４６】
第２回転支持板２８０は、第１回転支持板２７０と向い合うようにサブディスプレイパネル部１３０の側面の対向側に第２軌跡板２２０と同一の円板状に形成され、その中心には第２軌跡板２２０に形成された第２回転支持板の挿入溝２２７に挿入される挿入突起２８１が形成される。
【００４７】
また、ヒンジ結合部２００の中心軸がメイン及びサブディスプレイパネル部１２０、１３０の角部に形成されるように、第１及び第２軌跡板２１０、２２０と第１及び第２回転支持板２７０、２８０は各々中心がメイン及びサブディスプレイパネル部１２０、１３０の側面の角部に形成されるように装着される。
【００４８】
この時、メインディスプレイパネル部に形成された第１軌跡板２１０と第２軌跡板２２０の外面に、第１回転支持板２７０と第２回転支持板２８０とが結合できるように、メインディスプレイパネル部１２０の第１軌跡板２１０及び第２軌跡板２２０が形成された部分の外面とサブディスプレイパネル部１３０の第１回転支持板２７０及び第２回転支持板２８０が形成された部分の内側面には図９のように溝が各々形成されている。
【００４９】
第１折畳みスライドドア２３０は、その一端がサブディスプレイパネル部１３０と連結され、他端の内側には係止突起２３１が形成されており、両側端には第１軌跡板２１０に形成されている第１軌跡溝２１１と第２軌跡板２２０に形成されている第５軌跡溝２２１に各々スライド可能に挿入されるガイド突起２３２が形成される。
【００５０】
第２折畳みスライドドア２４０において、その一端の外側には第１折畳みスライドドア２３０に形成された係止突起２３１に係るための係止爪２４３が形成され、一端及び他端の内側に係止突起２４４、２４１が各々形成されており、両側端には第１軌跡板２１０に形成されている第２軌跡溝２１２と第２軌跡板２２０に形成されている第６軌跡溝２２２に各々スライド可能に挿入されるガイド突起２４２が形成される。
【００５１】
また、第３折畳みスライドドア２５０において、その一端の外側には第２折畳みスライドドア２４０に形成された係止突起２４４、２４１に係るための係止爪２５３が形成され、一端及び他端の内側に係止突起２５４、２５１が形成されており、両側端には第１軌跡板２１０に形成されている第３軌跡溝２１３と第２軌跡板２２０に形成されている第７軌跡溝２２３に各々スライド可能に挿入されるガイド突起２５２が形成される。
【００５２】
第４折畳みスライドドア２６０において、その一端の外側には第３折畳みスライドドア２５０に形成された係止突起２５４、２５１に係るための係止爪２６３が形成され、他端の外側に折畳みスライドドアの挿入部１２５の係止爪１２７に係るための係止突起２６１が形成されており、両側端には第１軌跡板２１０に形成されている第４軌跡溝２１４と第２軌跡板２２０に形成されている第８軌跡溝２２４に各々スライド可能に挿入されるガイド突起２６２が形成される。
【００５３】
従って、第１折畳みスライドドア２３０は、ガイド突起２３２が第１軌跡溝２１１と第５軌跡溝２２１との間に挿入されることで、第１軌跡溝２１１及び第５軌跡溝２２１がガイドする軌跡に沿ってスライドしながら移動できるようになり、同様に、第２折畳みスライドドア２４０は第２軌跡溝２１２と第６軌跡溝２２２との間に、第３折畳みスライドドア２５０は第３軌跡溝２１３と第７軌跡溝２２３との間に、第４折畳みスライドドア２６０は第４軌跡溝２１４と第８軌跡溝２２４との間に挿入されてスライドしながら移動することで、第１折畳みスライドドア２３０に連結されたサブディスプレイパネル部１３０がメインディスプレイパネル部１２０の側面へ開かれたりメインディスプレイパネル部１２０の外側へ畳まれるようになる。
【００５４】
一方、メインディスプレイパネル部１２０の側面に形成されている第１軌跡板２１０と第２軌跡板２２０との間には、前記の折畳みスライドドア２３０〜２６０を挿入可能に折畳みスライドドアの挿入溝１２５が形成され、その折畳みスライドドアの挿入溝１２５の一側には第４折畳みスライドドア２６０の係止突起２６１に係るように形成される係止爪１２７が形成される。
【００５５】
前述の図１０の構成要素が結合されると図１１のような形状になるが、メインディスプレイパネル部１２０の側面に形成された第１軌跡板２１０と第２軌跡板２２０との間に各折畳みスライドドア２３０〜２６０がスライド可能に挿入され、サブディスプレイパネル部１３０の側面に形成された第１回転支持板２７０と第２回転支持板２８０とが第１軌跡板２１０と第２軌跡板２２０の外側面へ回転可能に結合されていることが分かる。
【００５６】
図１２及び図１３はサブディスプレイパネル部１３０を畳んだり開いた場合の各折畳みスライドドア２３０〜２６０の状態を示す断面図であって、図１２はサブディスプレイパネル部１３０を畳んだ場合の各折畳みスライドドア２３０〜２６０の状態を示す断面図であり、図１３はサブディスプレイパネル部１３０を開いた場合の各折畳みスライドドア２３０〜２６０の状態を示す断面図である。
【００５７】
図１２に示すように、サブディスプレイパネル部１３０を畳んだ場合、第１折畳みスライドドア２３０の係止突起２３１に第２折畳みスライドドア２４０の係止爪２４３が係り、第２折畳みスライドドア２４０の係止突起２４１に第３折畳みスライドドア２５３の係止爪が係り、第３折畳みスライドドア２５０の係止突起２５１に第４折畳みスライドドア２６０の係止爪２６３が係り、第４折畳みスライドドア２６０の係止突起２６１には折畳みスライドドアの挿入溝１２５の係止爪１２７が係るようになる。
【００５８】
また、図１３から明らかなように、サブディスプレイパネル部１３０を開いた場合、各折畳みスライドドア２３０〜２６０の全てが軌跡溝２１１〜２１４に沿ってガイドされて折畳みスライドドアの挿入溝１２５へ挿入されるようになる。
【００５９】
この時、メインディスプレイパネル部１２０に設けられたメインディスプレイパネル１２１とサブディスプレイパネル部１３０に設けられたサブディスプレイパネル１３１とが隙間なく密着して一つの画面を構成することができるようになる。従って、大画面の具現時に、二つのディスプレイパネル１２１、１３１を介して一体感のある大画面をディスプレイすることができるようになる。
【００６０】
一方、前述の各折畳みスライドドア２３０〜２６０は、その形状が所定の曲率を有する板体からなるので、その構造上、破損が発生するおそれがある。従って、図１４に示すように、各折畳みスライドドア２３０〜２６０には複数の補強フレーム２９０を設け、折畳時におけるこの補強フレーム２９０による干渉を無くすために、第１乃至第３折畳みスライドドア２３０〜２５０の係止突起２３１〜２５１に前記の補強フレーム２９０が貫通挿入可能に複数の補強フレームの挿入溝２９１を設けることにより、折畳みスライドドア２３０〜２６０の強度を補強することもできる。
【００６１】
図１５は本発明の一実施形態にかかる携帯端末機１００のディスプレイモジュールの構成を示すブロック図であって、このディスプレイモジュールは、サブディスプレイパネル部１３０が畳まれている場合、メインディスプレイパネル１２１とサブディスプレイパネル１３１とが各々独立して駆動するように制御し、サブディスプレイパネル部１３０が開かれている場合には、メインディスプレイパネル１２１とサブディスプレイパネル１３１とが一つの拡張した画面をディスプレイするように制御することとなる。
【００６２】
図１５に示すように、ディスプレイモジュールは、メインディスプレイパネル１２１、メインスキャンドライバー３２０、メインデータドライバー３１０、サブディスプレイパネル１３１、サブスキャンドライバー３４０、サブデータドライバー３３０及びコントローラ３００から構成される。
【００６３】
この時、メインディスプレイパネル１２１、メインスキャンドライバー３２０、メインデータドライバー３１０及びコントローラ３００はメインディスプレイパネル部１２０内に設けられ、サブディスプレイパネル１３１、サブスキャンドライバー３４０及びサブデータドライバー３３０はサブディスプレイパネル部１３０内に設けられる。
【００６４】
ここで、ディスプレイ画面の大きさや製造の経済性によって、スキャンドライバー３２０、３４０とデータドライバー３１０、３３０とは独立したチップ又は一つのチップで具現されるが、理解の便宜上、本実施形態では、スキャンドライバー３２０、３４０とデータドライバー３１０、３３０とが独立したチップからなる構成とした。
【００６５】
メインディスプレイパネル１２１は、複数の列ライン(Row Line)及び行ライン(Column Line）がマトリックス(Matrix)配列されて複数のピクセル(Pixel）を形成しており、メインスキャンドライバー３２０、メインデータドライバー３１０及びコントローラ３００によって、その動作が制御される。
【００６６】
メインスキャンドライバー３２０はメインディスプレイパネル１２１の列ライン(Y軸）を順次選択するスキャン動作を行い、メインデータドライバー３１０はメインディスプレイパネル１２１の行ライン(X軸)にディスプレイされる映像データを電圧又は電流に変換して印加する。
【００６７】
サブディスプレイパネル１３１は、複数の列ライン(Row Line)及び行ライン(Column Line）がマトリックス(Matrix)配列されて複数のピクセル(Pixel）を形成しており、サブスキャンドライバー３４０、サブデータドライバー３３０及びコントローラ３００によって、その動作が制御される。
【００６８】
また、サブスキャンドライバー３４０はサブディスプレイパネル１３１の列ライン(Y軸）を順次選択するスキャン動作を行い、サブデータドライバー３３０はサブディスプレイパネル１３１の行ライン(X軸)にディスプレイされる映像データを電圧又は電流に変換して印加する。
【００６９】
コントローラ３００は、メインスキャンドライバー３２０及びサブスキャンドライバー３４０へスキャン信号を印加し、メインデータドライバー３１０及びサブデータドライバー３３０へ映像データ信号を印加して、メインスキャンドライバー３２０、サブスキャンドライバー３４０、メインデータドライバー３１０及びサブデータドライバー３３０の動作を各々制御する機能を行う。
【００７０】
この時、前述の各ディスプレイモジュールの機能と作用及び拡張した大画面の具現時のディスプレイ動作とその制御方法に関する内容は、既に本出願人によって出願されている“デュアルディスプレイパネルによる一つの拡張した画面を有する携帯端末機とその画面表示制御方法及びその制御装置(大韓民国特許出願番号：１０-２００３-００８６４４１)”に詳細に記載されている。
【００７１】
一方、このようなディスプレイモジュール間の相互のデータ交換のための配線のためには、PCBフィルムが携帯端末機１００内に挿入されるべきであるが、図１６及び図１７は携帯端末機１００内に挿入されるPCBフィルムの形状を示す形状図であって、図１６はPCBフィルム１０００の平面形状を示す平面図であり、図１７は図１６に示されているフォールディングライン１１０１、１２０１を畳んだ場合の形状を示す斜視図である。
【００７２】
この時、PCBフィルム１０００はTCP(Tape Carrier Package)、COF(Chip On film)等のような可撓性(Flexible）の集積回路(IC)パッケージを通称するのである。
【００７３】
図１６に示すように、各ディスプレイモジュール間の配線のために単一のPCBフィルム１０００が携帯端末機１００内に挿入され、そのPCBフィルム１０００はメインフィルム部１１００、サブフィルム部１２００及び連結部１３００からなる。
【００７４】
メインフィルム部１１００は、その一側がコントローラ３００と結合され、他側はメインディスプレイパネル１２１を動作させるためのメインスキャンドライバー３２０及びメインデータドライバー３１０と結合されて、コントローラ３００とメインスキャンドライバー３２０及びメインデータドライバー３１０との信号交換が可能なように配線する機能を行う。また、この時、コントローラ３００は本体１１０の携帯端末機のメインシステム２０００と連結されるように配線される。
【００７５】
サブフィルム部１２００は、その一側がサブディスプレイパネル１３１を動作させるためのサブスキャンドライバー３４０及びサブデータドライバー３３０に結合される。
【００７６】
連結部１３００は、メインフィルム部１１００とサブフィルム部１２００とを連結してコントローラ３００とサブスキャンドライバー３４０及びサブデータドライバー３３０との信号交換が可能なように配線を連結する機能を行う。
【００７７】
この時、メインフィルム部１１００のコントローラ３００の連結部分とメインスキャンドライバー３２０及びメインデータドライバー３１０の連結部分との間には、PCBフィルム１０００を装置内に挿入可能に第１フォールディングライン１１０１が形成され、またサブフィルム部１２００のサブスキャンドライバー３４０及びサブデータドライバー３３０と連結部１３００との間には、前記の第１フォールディングライン１１０１に平行な第２フォールディングライン１２０１が形成されている。
【００７８】
また、メインディスプレイパネル１２１とサブディスプレイパネル１３１とは、各々連結パッドを介して各データドライバー３１０、３３０及びスキャンドライバー３２０、３４０と連結される。
【００７９】
図１７から明らかなように、PCBフィルム１０００の第１フォールディングライン１１０１と第２フォールディングライン１２０１とが畳まれて携帯端末機１００内へ挿入可能な形状に形成されることが分かる。
【００８０】
図１８及び図１９は、図１６及び図１７に示すPCBフィルム１０００が携帯端末機１００内へ挿入された形状を示す断面図であって、図１８はサブディスプレイパネル部１３０を畳んだ場合のPCBフィルム１０００の挿入形状を示す断面図であり、図１９はサブディスプレイパネル部１３０を開いた場合のPCBフィルム１０００の挿入形状を示す断面図である。
【００８１】
図１８に示すように、第１フォールディングライン１１０１と第２フォールディングライン１２０１とが畳まれている状態で、PCBフィルム１０００のメインフィルム部１１００がメインディスプレイパネル部１２０の内部に挿入され、サブフィルム部１２００がサブディスプレイパネル部１３０の内部にレイアウトされていることが分かる。
【００８２】
この時、メインフィルム部１１００とサブフィルム部１２００とを連結する連結部１３００がヒンジ結合部２００内へ図１８及び図１９のように挿入されて、サブディスプレイパネル部１３０を畳んだり開いてもコントローラ３００の制御信号がサブディスプレイパネル部１３０へ伝達される。
【００８３】
一方、前述のヒンジ結合部２００の構造とPCBフィルム１０００のレイアウトを用いてサブディスプレイパネル部１３０にもう一つのサブディスプレイパネルを連結して複数化することで、さらに拡張した概念の大画面のディスプレイ装置を構成することができる。
【００８４】
図２０及び図２１は本発明の他の実施形態にかかる携帯端末機のディスプレイパネル部を示すのである。図２０は各サブディスプレイパネル部１３０、５００を畳んだ形状を示す概念図であり、図２１はサブディスプレイパネル部１３０、５００を開いた形状を示す概念図である。
【００８５】
図２０に示すように、メインディスプレイパネル部１２０にメインディスプレイパネル１２１が設けられ、そのメインディスプレイパネル部１２０の一側端には第１サブディスプレイパネル部１３０の一側端が第１ヒンジ結合部２００によって結合され、第１サブディスプレイパネル部１３０の他側端には第２サブディスプレイパネル部５００の一側端が第２ヒンジ結合部６００によって結合されている。
【００８６】
この時、第１サブディスプレイパネル部１３０及び第２サブディスプレイパネル部５００を開ければ、図２１に示すように、メインディスプレイパネル１２１と、第１サブディスプレイパネル１３１及び第２サブディスプレイパネル５１０が一つの画面となってさらに拡張した大画面の具現が可能になる。
【００８７】
図２２及び図２３は、図２０及び図２１に示されている大画面のディスプレイ装置のディスプレイモジュールの構成及びPCBフィルムの形状を示す形状図であって、図２２は各フォールディングライン１１０１、１２０１、１４０１を開いた形状であり、図２３は各フォールディングライン１１０１、１２０１、１４０１を畳んだ形状である。
【００８８】
図２２に示すように、メインディスプレイパネル部１２０内に設けられるメインディスプレイパネル１２１、メインスキャンドライバー３２０及びメインデータドライバー３１０、第１サブディスプレイパネル部１３０に設けられる第１サブディスプレイパネル１３１、第１サブスキャンドライバー３４０及び第１サブデータドライバー３３０及び第２サブディスプレイパネル部５００に設けられる第２サブディスプレイパネル５１０、第２サブスキャンドライバー５２０及び第２サブデータドライバー５３０がメインディスプレイパネル部１２０内に設けられるコントローラ３００によって制御され、コントローラ３００と各ディスプレイモジュールとの連結は単一のPCBフィルム３０００によりなされる。
【００８９】
この時、前記のPCBフィルム３０００は、メインフィルム部１１００、第１連結部１３００、第１サブフィルム部１２００、第２連結部１５００及び第２サブフィルム部１４００からなる。
【００９０】
メインフィルム部１１００は、その一側がコントローラ３００と結合され、他側はメインディスプレイパネル１２１を動作させるためのメインスキャンドライバー３２０及びメインデータドライバー３１０と結合されて、コントローラ３００とメインスキャンドライバー３２０及びメインデータドライバー３１０との信号交換が可能なように配線する機能を行う。また、この時、コントローラ３００は本体１００の携帯端末機のメインシステム２０００と連結されるように配線される。
【００９１】
第１サブフィルム部１２００は、その一側が第１サブディスプレイパネル１３１を動作させるための第１サブスキャンドライバー３４０及び第１サブデータドライバー３３０と結合される。
【００９２】
第１連結部１３００は、メインフィルム部１１００と第１サブフィルム部１２００とを連結してコントローラ３００と第１サブスキャンドライバー３４０及び第１サブデータドライバー３３０との信号交換が可能なように配線を連結する機能を行う。
【００９３】
また、第２サブフィルム部１４００は、その一側が第２サブディスプレイパネル５１０を動作させるための第２サブスキャンドライバー５２０及び第２サブデータドライバー５３０と結合される。
【００９４】
第２連結部１５００は、第１サブフィルム部１２００を第２サブフィルム部１４００と連結してコントローラ３００と第２サブスキャンドライバー５２０及び第２サブデータドライバー５３０との信号交換が可能なように配線を連結する機能を行う。
【００９５】
この時、メインフィルム部１１００のコントローラ３００の連結部分とメインスキャンドライバー３２０及びメインデータドライバー３１０の連結部分との間には、PCBフィルム３０００を装置内へ挿入可能に第１フォールディングライン１１０１が形成され、また第１サブフィルム部１２００の第１サブスキャンドライバー３４０及び第１サブデータドライバー３３０と第１連結部１３００との間には前記の第１フォールディングライン１１０１と平行な第２フォールディングライン１２０１が形成されており、第２サブフィルム部１４００の第２サブスキャンドライバー５２０及び第２サブデータドライバー５３０と第２連結部１５００との間には、前記の第１フォールディングライン１１０１及び第２フォールディングライン１２０１と平行な第３フォールディングライン１４０１が形成されている。
【００９６】
図２３から明らかなように、前述のPCBフィルム３０００の第１フォールディングライン１１０１と第２フォールディングライン１２０１及び第３フォールディングライン１４０１が畳まれて装置内へ挿入可能な形態となることが分かる。
【００９７】
従って、メインディスプレイパネル１２１と一つのサブディスプレイパネル１３１だけでは充分でなかった拡張した大画面をディスプレイすることができるようになるので、良質のサービスが可能になるのである。
【００９８】
以上、本発明の好ましい実施形態について詳述したが、本発明が属する記述分野において通常の知識を有する者であれば、添付した請求範囲に記載の本発明の精神及び範囲を逸れないながら本発明を様々に変形又は変更して実施することができるのである。従って、本発明の今後の実施形態の変更は本発明の技術を逸れることができないはずである。
【産業上の利用可能性】
【００９９】
本発明は、端末機に関連する産業、特に、ディスプレイ装置が装着されている携帯端末機の産業に利用可能である。
【図面の簡単な説明】
【０１００】
【図１】図１は二つのディスプレイパネルが設けられたデュアルディスプレイパネルフォルダ型の端末機のフォルダを開いた場合における、内側から見た外形を示す斜視図である。
【図２】図２は二つのディスプレイパネルが設けられたデュアルディスプレイパネルフォルダ型の端末機のフォルダを開いた場合における、外側から見た外形を示す斜視図である。
【図３】図３は図１及び図２に示されているデュアルディスプレイパネルフォルダ型の端末機のディスプレイモジュールの構造を示すブロック図である。
【図４】図４は本発明の好ましい実施形態にかかる携帯端末機の大画面のディスプレイ装置が適用されたデュアルディスプレイパネルフォルダ型の端末機の携帯時の形状を示す斜視図である。
【図５】図５は図４に示すメインディスプレイパネル部を開いた時における、内側から見た形状を示す斜視図である。
【図６】図６は図４に示すメインディスプレイパネル部を開いた時における、外側から見た形状を示す斜視図である。
【図７】図７は図５に示すメインディスプレイパネル部のサブディスプレイパネル部を開いた時における、内側から見た形状を示す斜視図である。
【図８】図８は図５に示すメインディスプレイパネル部のサブディスプレイパネル部を開いた時における、外側から見た形状を示す斜視図である。
【図９】図９は図３乃至図８に示されているヒンジ結合部の全体の構成を示す分解斜視図である。
【図１０】図１0は図９に示す軌跡板と折畳みスライドドア及び回転支持板の構成及び結合構造を示す部分斜視図である。
【図１１】図１１は図１0に示されている構成要素が結合された形状を示す斜視図である。
【図１２】図１２は図９乃至図１１に示すサブディスプレイパネル部を畳んだ場合の各折畳みスライドドアの状態を示す断面図である。
【図１３】図１３は図９乃至図１１に示すサブディスプレイパネル部を開いた場合の各折畳みスライドドアの状態を示す断面図である。
【図１４】図１４は図９乃至図１１に示されている各折畳みスライドドアに補強フレームを設けた形状を示す分解斜視図である。
【図１５】図１５は本発明の好ましい実施形態にかかる携帯端末機の大画面のディスプレイ装置のディスプレイモジュールの構成を示すブロック図である。
【図１６】図１６は大画面のディスプレイ装置内に挿入されるPCBフィルムの形状を示す平面図である。
【図１７】図１７は図１６に示されているフォールディングラインを畳んだ場合の形状を示す斜視図である。
【図１８】図１８はサブディスプレイパネル部を畳んだ場合のPCBフィルムの挿入形状を示す断面図である。
【図１９】図１９はサブディスプレイパネル部を開いた場合のPCBフィルムの挿入形状を示す断面図である。
【図２０】図２０はサブディスプレイパネル部にもう一つのサブディスプレイパネル部を連結した大画面のディスプレイ装置の折畳み形状を示す概念図である。
【図２１】図２１は図２０のサブディスプレイパネル部を開いた形状を示す概念図である。
【図２２】図２２は図２０及び図２１に示されている大画面のディスプレイ装置のディスプレイモジュールの構成及びPCBフィルムの形状を示す平面図である。
【図２３】図２３は図２２に示されているPCBフィルムの各フォールディングラインを畳んだ形状を示す斜視図である。
【図１】
2007529180.tif 000003
【図２】
2007529180.tif 000004
【図３】
2007529180.tif 000005
【図４】
2007529180.tif 000006
【図５】
2007529180.tif 000007
【図６】
2007529180.tif 000008
【図７】
2007529180.tif 000009
【図８】
2007529180.tif 000010
【図９】
2007529180.tif 000011
【図１０】
2007529180.tif 000012
【図１１】
2007529180.tif 000013
【図１２】
2007529180.tif 000014
【図１３】
2007529180.tif 000015
【図１４】
2007529180.tif 000016
【図１５】
2007529180.tif 000017
【図１６】
2007529180.tif 000018
【図１７】
2007529180.tif 000019
【図１８】
2007529180.tif 000020
【図１９】
2007529180.tif 000021
【図２０】
2007529180.tif 000022
【図２１】
2007529180.tif 000023
【図２２】
2007529180.tif 000024
【図２３】
2007529180.tif 000025
【国際調査報告】
2007529180.tif 000026
2007529180.tif 000027